(57)【要約】【課題】ファンダクト組立体の断熱箱体への取付け作業を簡単にして取付け作業性の向上を図ること。【解決手段】内箱２の左右側面に仕切壁支持体３１Ａを固定して、ファンダクト組立体２６を断熱箱体１の奥壁に当接するように、断熱箱体１の底壁上に載置して、水平仕切壁６の被支持重合部６Ａの後部をファンダクト組立体２６の支持部３４上に重合するように、水平仕切壁６の被支持重合部６Ａの前部を仕切壁支持体３１Ａの支持重合部３２Ａ上に重合させる。被支持重合部６Ａの前部と支持重合部３２Ａとをビス３９が上方から挿通すると共に水平仕切壁６の左右の各取付片３７に開設された取付孔にビス３９を挿通して断熱箱体１の両側壁にこの水平仕切壁６を固定する。更に、製氷室１０と第１冷凍室１１とに仕切るために、ファンダクト組立体２６を断熱箱体１の奥壁に押圧するように、且つ水平仕切壁６を下方へ押圧するように垂直仕切壁９を前方から挿入する。【選択図】図２
2012098010.tif 000002
【特許請求の範囲】
【請求項１】
内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
前記貯蔵空間の前部に設けられた仕切壁支持体と、
前記貯蔵空間を上下に仕切るための水平仕切壁とを備え、
前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする冷却貯蔵庫。
【請求項２】
内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
後部に支持部が形成されて前記貯蔵空間の前部に設けられた仕切壁支持体と、
少なくとも前部及び後部に被支持部が形成されて前記貯蔵空間を上下に仕切るための水平仕切壁とを備え、
前記ファンダクト組立体前面に前記水平仕切壁後部の被支持部を支持する支持部を形成し、
前記仕切壁支持体の支持部で前記水平仕切壁前部の被支持部を支持すると共に前記ファンダクト組立体前面の支持部で前記水平仕切壁後部の被支持部を支持するように、前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする冷却貯蔵庫。
【請求項３】
内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
前記貯蔵空間を上下に仕切るための第１の水平仕切壁と、
後部に支持部が形成されて前記第１の水平仕切壁の下方において前記貯蔵空間の前部に設けられた仕切壁支持体と、
少なくとも前部及び後部に被支持部が形成されて前記貯蔵空間を上下に仕切るための第２の水平仕切壁と、
前記第１の水平仕切壁と前記第２の水平仕切壁との間に設けられて前記貯蔵空間を左右に仕切る前記垂直仕切壁とを備え、
前記ファンダクト組立体前面に前記水平仕切壁後部の被支持部を支持する支持部を形成し、
前記仕切壁支持体の支持部で前記水平仕切壁前部の被支持部を支持すると共に前記ファンダクト組立体前面の支持部で前記水平仕切壁後部の被支持部を支持するように、前記ファンダクト組立体と前記仕切壁支持体との間に前記第２の水平仕切壁を介在させて前記第２の水平仕切壁が前記ファンダクト組立体を前記断熱箱体の奥壁に押圧するように、且つ前記第１の水平仕切壁と前記第２の水平仕切壁との間に前記垂直仕切壁を挿入させて前記垂直仕切壁が前記第２の水平仕切壁を下方へ押圧するようにして、前記ファンダクト組立体を前記貯蔵空間の奥部に固定するようにしたことを特徴とする冷却貯蔵庫。
【請求項４】
内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
後部に支持部が形成されて前記貯蔵空間の前部に設けられた仕切壁支持体と、
前部に被支持部が形成されると共に及び後部に嵌合部が形成され前記貯蔵空間を上下に仕切るための水平仕切壁とを備え、
前記ファンダクト組立体前面に前記水平仕切壁後部の前記嵌合部が嵌合される被嵌合部を形成し、
前記仕切壁支持体の支持部で前記水平仕切壁前部の被支持部を支持すると共に前記ファンダクト組立体前面の前記被嵌合部に前記水平仕切壁後部の嵌合部を嵌合させて支持するようにして、前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする冷却貯蔵庫。
【発明の詳細な説明】
【技術分野】
【０００１】
本発明は、内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫に関する。
【背景技術】
【０００２】
この種の冷却貯蔵庫は、特許文献１などに開示されているが、前記ファンダクト組立体は、前記冷凍貯蔵空間及び冷蔵貯蔵空間の奥部において、内箱にビスにより固定するのが一般的である。
【先行技術文献】
【特許文献】
【０００３】
【特許文献１】特開２００７−１１３８００号公報
【発明の概要】
【発明が解決しようとする課題】
【０００４】
しかしながら、断熱箱体内の奥部において、前記ファンダクト組立体をビス固定するのは、組立作業が煩わしく、作業性が悪いという問題があった。
【０００５】
そこで本発明は、ファンダクト組立体の断熱箱体への取付け作業を簡単にして取付け作業性の向上を図ることを目的とする。
【課題を解決するための手段】
【０００６】
このため第１の発明は、内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
前記貯蔵空間の前部に設けられた仕切壁支持体と、
前記貯蔵空間を上下に仕切るための水平仕切壁とを備え、
前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする。
【０００７】
第２の発明は、内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
後部に支持部が形成されて前記貯蔵空間の前部に設けられた仕切壁支持体と、
少なくとも前部及び後部に被支持部が形成されて前記貯蔵空間を上下に仕切るための水平仕切壁とを備え、
前記ファンダクト組立体前面に前記水平仕切壁後部の被支持部を支持する支持部を形成し、
前記仕切壁支持体の支持部で前記水平仕切壁前部の被支持部を支持すると共に前記ファンダクト組立体前面の支持部で前記水平仕切壁後部の被支持部を支持するように、前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする。
【０００８】
第３の発明は、内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
前記貯蔵空間を上下に仕切るための第１の水平仕切壁と、
後部に支持部が形成されて前記第１の水平仕切壁の下方において前記貯蔵空間の前部に設けられた仕切壁支持体と、
少なくとも前部及び後部に被支持部が形成されて前記貯蔵空間を上下に仕切るための第２の水平仕切壁と、
前記第１の水平仕切壁と前記第２の水平仕切壁との間に設けられて前記貯蔵空間を左右に仕切る前記垂直仕切壁とを備え、
前記ファンダクト組立体前面に前記水平仕切壁後部の被支持部を支持する支持部を形成し、
前記仕切壁支持体の支持部で前記水平仕切壁前部の被支持部を支持すると共に前記ファンダクト組立体前面の支持部で前記水平仕切壁後部の被支持部を支持するように、前記ファンダクト組立体と前記仕切壁支持体との間に前記第２の水平仕切壁を介在させて前記第２の水平仕切壁が前記ファンダクト組立体を前記断熱箱体の奥壁に押圧するように、且つ前記第１の水平仕切壁と前記第２の水平仕切壁との間に前記垂直仕切壁を挿入させて前記垂直仕切壁が前記第２の水平仕切壁を下方へ押圧するようにして、前記ファンダクト組立体を前記貯蔵空間の奥部に固定するようにしたことを特徴とする。
【０００９】
第４の発明は、内箱と外箱との間に断熱材が充填された断熱箱体内部を複数の独立室に区画した貯蔵空間を冷却するために冷気を生成する冷却器とこの冷却器で生成された冷気を前記貯蔵空間内に冷気を循環させるための送風機とを備えると共に冷気ダクト、各冷気吸込み口や吹出口が形成されたファンダクト組立体を前記貯蔵空間の奥部に備えた冷却貯蔵庫において、
後部に支持部が形成されて前記貯蔵空間の前部に設けられた仕切壁支持体と、
前部に被支持部が形成されると共に及び後部に嵌合部が形成され前記貯蔵空間を上下に仕切るための水平仕切壁とを備え、
前記ファンダクト組立体前面に前記水平仕切壁後部の前記嵌合部が嵌合される被嵌合部を形成し、
前記仕切壁支持体の支持部で前記水平仕切壁前部の被支持部を支持すると共に前記ファンダクト組立体前面の前記被嵌合部に前記水平仕切壁後部の嵌合部を嵌合させて支持するようにして、前記ファンダクト組立体と前記仕切壁支持体との間に前記水平仕切壁を介在させることにより、この水平仕切壁が前記ファンダクト組立体を前記断熱箱体の奥壁に押圧するようにして、前記ファンダクト組立体を前記貯蔵空間の奥部に固定するようにしたことを特徴とする。
【発明の効果】
【００１０】
本発明は、ファンダクト組立体の断熱箱体への取付け作業を簡単にして取付け作業性の向上を図ることができる。
【図面の簡単な説明】
【００１１】
【図１】冷却貯蔵庫の正面図である。
【図２】図１の冷却貯蔵庫のＡ−Ａ線断面図である。
【図３】断熱箱体内にファンダクト組立体を組み入れとしている状態の冷却貯蔵庫の縦断右側面図である。
【図４】上下の水平仕切壁を取り付けようとしている状態の冷却貯蔵庫の縦断右側面図である。
【図５】垂直仕切壁を取り付けようとしている状態の冷却貯蔵庫の縦断右側面図である。
【図６】断熱箱体の右側壁前部の横断平面図である。
【図７】断熱箱体とファンダクト組立体の一部背面斜視図である。
【図８】図２のＢ部を拡大した図である。
【図９】図５のＣ−Ｃ断面図である。
【発明を実施するための形態】
【００１２】
以下、本発明における冷却貯蔵庫の実施の形態を、図１乃至図９を用いて説明する。初めに、図１及び図２に示すように、冷凍貯蔵室及び冷蔵貯蔵室を備えた冷却貯蔵庫の本体は、前面が開口している断熱箱体１で構成されている。この断熱箱体１は断熱壁で形成され、後述するように内箱２と外箱３との間の空間内に発泡ウレタン等の断熱材４を充填したものである。
【００１３】
そして、前記断熱箱体１の内部空間、即ち庫内となる貯蔵室は、略水平な３個の断熱材が充填された水平仕切壁５、６、７で上下４つの空間に仕切られ、最上部空間が冷蔵室８、上から２段目の空間が断熱材が充填された垂直仕切壁９により左右に仕切られて製氷室１０及び第１冷凍室１１、上から３段目の空間が温度切替室１２、また最下部空間が第２冷凍室１３となっている。
【００１４】
そして、前記冷蔵室８の前面開口は観音開きの断熱扉１５で開閉自在に閉塞され、製氷室１０、第１冷凍室１１、温度切替室１２、及び第２冷凍室１３の前面開口は、それぞれ引き出し式の断熱扉１６乃至１９で開閉自在に閉塞されている。
【００１５】
前記冷蔵室８奥部には、この冷蔵室８内に冷気を供給する冷蔵室用通風ダクト、送風機及び冷却器（共に図示せず）が設けられている。また、前記製氷室１０、第１冷凍室１１、温度切替室１２、及び第２冷凍室１３の奥部には、送風機２１を備えると共に冷却器２２が配設され、且つ第１冷気ダクト２３、この第１冷気ダクト２３上部と連通する第２冷気ダクト２４及びこの第２冷気ダクト２４下部に連通すると共に第２冷凍室１３に連通する戻りダクト２５が形成されて後面が開口したファンダクト組立体２６（図７参照）が配置されている。
【００１６】
前記ファンダクト組立体２６の前面には、第２冷気ダクト２４に連通して前記製氷室１０に冷気を供給するための製氷室用吹出し口（図示せず）、同じく第１冷凍室１１に冷気を供給するための冷凍室用吹出し口２８、同じく温度切替室１２に冷気を供給するための温度切替室用吹出し口２９、同じく第２冷凍室１３に冷気を供給するための第２冷凍室用吹出し口３０が形成されている。
【００１７】
３１Ａ、３１Ｂは前記水平仕切壁６、７をそれぞれ支持する仕切壁支持体で、後部上面が切除されてそれぞれ支持重合部３２Ａ、３２Ｂが形成され、内箱２の左右側面に亘る横長形状を呈して、断熱箱体１の右側壁前部の横断平面図である図６に示すように、内箱２の前部の凹部２Ａに形成された各開口２Ｂを介して仕切壁支持体３１Ａ、３１Ｂの左右側面に突出させた横断平面形状がＬ字状の係止爪３３Ａ、３３Ｂを内箱２と外箱３との間の空間内に挿入させて、取付片に開設した取付孔にビスを挿通させて内箱２の左右側面に仕切壁支持体３１Ａ、３１Ｂをそれぞれ固定する。
【００１８】
そして、前記ファンダクト組立体２６の前面には、水平仕切壁６を支持するために水平方向に延在するように前方へ突出した支持部３４、水平仕切壁７を支持するためにそれぞれ水平方向に延在するように前方へ突出した上下の支持部３５Ａ、３５Ｂとが形成される。この上下の支持部３５Ａ、３５Ｂが後述する水平仕切壁７の嵌合部としての被支持重合部７Ａが嵌合する被嵌合部を構成する。
【００１９】
また、前記水平仕切壁６の周縁部には下面が切除されて、前記仕切壁支持体３１Ａの支持重合部３２Ａ上に、また前記ファンダクト組立体２６の支持部３４上に、更に内箱２に突設した支持部２Ｃ上に上方からほぼ隙間無く重合し合う被支持重合部６Ａが形成される。
【００２０】
また、前記水平仕切壁７の周縁部には下面が切除されて前記仕切壁支持体３１Ｂの支持重合部３２Ｂ上に、また内箱２に突設した支持部２Ｄ上に上方からほぼ隙間無く重合し合う被支持重合部７Ａが形成されるが、この被支持重合部７Ａの後部は前記ファンダクト組立体２６の支持部３５Ａと３５Ｂとの間に前方からほぼ隙間無く嵌合する嵌合部としての役割を果たす。
【００２１】
なお、内箱２に支持部２Ｃ、２Ｄを必ずしも形成しないで前記水平仕切壁６、７の両側部を支持しなくともよく、前記水平仕切壁６、７を前部及び後部においてのみ、支持するようにしてもよい。
【００２２】
なお、前記水平仕切壁６の左右の端部のそれぞれにおいて、且つ前後方向のほぼ中央位置に取付片３７が設けられ、この取付片３７に開設された取付孔にビス３９を挿通して内箱２にこの水平仕切壁６を固定することができる。また、前記水平仕切壁７の左右の端部のそれぞれにおいて、且つ前後方向のほぼ中央位置に取付片３８が設けられ、この取付片３８に開設された取付孔にビス３９を挿通して内箱２にこの水平仕切壁７を固定することができる（図９参照）。
【００２３】
また、前記両冷却器２２（他方は図示せず）は圧縮機、凝縮器、キャピラリーチューブ等の減圧装置、及びアキュムレータ等の気液分離器などと共に順次冷媒配管で接続された冷凍サイクルユニットを構成するものであり、この冷凍サイクルユニットにおいて減圧装置と気液分離器の間に接続され、蒸発器として作用するものである。そして、圧縮機及び凝縮器等は断熱箱体１の後部下側に形成されている機械室４０に蒸発皿４１とともに配置されている。
【００２４】
そして、上方の冷却器（図示せず）で生成された冷気は送風機により冷蔵室用通風ダクトを介して前記冷蔵室８内に冷気が供給され、冷蔵室用通風ダクト下部を介して戻り、また下方の前記冷却器２２で生成された冷気は送風機２１の運転により第１冷気ダクト２３、第２冷気ダクト２４を経て、各吹出し口２８、２９３０を介して製氷室１０、第１冷凍室１１、温度切替室１２及び第２冷凍室１３に供給され、これらの貯蔵室内を冷却した後に、戻りダクト２５等を介して前記第１冷気ダクト２３の下部に戻る構成である。
【００２５】
そして、前記冷蔵室８は冷気量をダンパー等で調節することにより室温が、例えば５°Ｃ前後に維持され、第１冷凍室１１は室温がマイナス７°Ｃ程度に維持され、温度切替室１２はダンパーの切り換えにより室温がマイナス２０°Ｃ〜プラス５°Ｃの範囲で切り換えて使用され、第２冷凍室１３は室温がマイナス２０°Ｃ程度に維持されるようにしてある。
【００２６】
また、前記冷却器２２の下方には、除霜ヒータ４２が設けられ、この除霜ヒータ４２は、タイマー等によって設定された霜取り時や、霜取りセンサ（図示せず）が一定量の霜を検出した時に通電されて発熱し、冷却器２２などに付着した霜を融かすものである。
【００２７】
そして、機械室４０の上壁である断熱箱体１の底壁には、この冷却器２２などから滴下するドレン水を受けるためにドレン受け部４３が形成され、このドレン受け部４３は排水口に向けて低く形成されている。そして、このドレン受け部４３の排水口に連結されたゴム製のドレンパイプ４４が前記底壁を貫通して貯蔵室外の機械室４０に導出されている。前記ドレン受け部４３のドレン水はドレンパイプ４４を通って、このドレンパイプ４４に連通された排水管４５を介して機械室４０に配備されている蒸発皿４１に導かれて回収されるようにしてある。
【００２８】
ここで、図２乃至図５に基づいて、前記断熱箱体１の内部空間を前記製氷室１０、第１冷凍室１１、温度切替室１２及び第２冷凍室１３に区画するための動作について、説明する。なお、前記水平仕切壁５は、前記冷蔵室８の空間が広いので、その取付け作業は煩わしくなく、断熱箱体１内の奥部においても、内箱２に取付片（図示せず）を介してビスで固定することができる。
【００２９】
先ず、前述したように、内箱２の前部の凹部２Ａに形成された各開口２Ｂを介して仕切壁支持体３１Ａ、３１Ｂの係止爪３３Ａ、３３Ｂを内箱２と外箱３との間の空間内に挿入させて、取付片に開設した取付孔にビスを挿通させて内箱２の左右側面に仕切壁支持体３１Ａ、３１Ｂをそれぞれ固定した状態で、前記空間内に発泡ウレタン等の断熱材４を充填する。
【００３０】
次いで、図３に示すように、前記仕切壁支持体３１Ｂの下方の前面開口を介して貯蔵空間内に前記ファンダクト組立体２６を挿入して、このファンダクト組立体２６を前記断熱箱体１の奥壁に当接するように移動させ、機械室４０の上壁である断熱箱体１の底壁上に載置する。この場合、前記ファンダクト組立体２６の第１冷気ダクト２３内に前記冷却器２２を納めて配置するようにして（図７参照）、前記ファンダクト組立体２６を前記断熱箱体１の底壁上に載置する。
【００３１】
そして、図４に示すように、前記水平仕切壁６の被支持重合部６Ａの後部を前記ファンダクト組立体２６の前面の支持部３４上に重合させるように、また前記被支持重合部６Ａの前部を仕切壁支持体３１Ａの支持重合部３２Ａ上に重合させるように、更に前記被支持重合部６Ａの両側部を内箱２に形成した支持部２Ｃ上に重合させるように載置させる。また、前記水平仕切壁７の被支持重合部７Ａの後部を前記ファンダクト組立体２６の支持部３５Ａと３５Ｂとの間に前方から嵌合させ（図８参照）、且つ前記水平仕切壁７の被支持重合部７Ａの前部を仕切壁支持体３１Ｂの支持重合部３２Ｂ上に重合させると共に前記被支持重合部７Ａの両側部を内箱２に形成した支持部２Ｄ上に重合させるように載置させる。
【００３２】
すると、この水平仕切壁６、７がファンダクト組立体２６を前記断熱箱体１の奥壁に押圧するような状態となり、ファンダクト組立体２６の取り付け位置が定まる。このような状態で、そして、前記被支持重合部６Ａの前部と支持重合部３２Ａとをビス３９が上方から挿通すると共に前記水平仕切壁６の左右の各取付片３７に開設された取付孔にビス３９を挿通して断熱箱体１の両側壁にこの水平仕切壁６を固定する。また、前記被支持重合部７Ａの前部と支持重合部３２Ｂとをビス３９が上方から挿通すると共に前記水平仕切壁７の左右の各取付片３９に開設された取付孔にビス３９を挿通して断熱箱体１の両側壁に水平仕切壁７を固定する。
【００３３】
更に、図５に示すように、上から２段目の空間を製氷室１０と第１冷凍室１１とに仕切るために、ファンダクト組立体２６を前記断熱箱体１の奥壁に押圧するように、且つ前記水平仕切壁６を下方へ押圧するように垂直仕切壁９を前方から挿入する。即ち、前記水平仕切壁６の被支持重合部６Ａの後部と前記ファンダクト組立体２６の前面の支持部３４とが重合する状態を、また前記水平仕切壁６の被支持重合部６Ａの前部と仕切壁支持体３１Ａの支持重合部３２Ａとが重合する状態を維持するように、前記水平仕切壁５と６との間に挿入すると、前記垂直仕切壁９が上方から前記水平仕切壁６を押圧する。
【００３４】
即ち、前記水平仕切壁５と６との間隔と、前記垂直仕切壁９の上下寸法とを略同じにすることにより、前記水平仕切壁５と６との間に垂直仕切壁９を挿入した場合、上面が前記水平仕切壁５下面に当接している状態の前記垂直仕切壁９が上方から前記水平仕切壁６を、仕切壁支持体３１Ａの支持重合部３２Ａ及び前記ファンダクト組立体２６の前面の支持部３４に上方から押圧することとなる。言い換えると、前記垂直仕切壁９を前記水平仕切壁５と６とが挟持して、これらを安定した状態とする。
【００３５】
従って、前記ファンダクト組立体２６及び前記水平仕切壁６をより確実に安定して、断熱箱体１内に取り付け固定することができる。このため、前記被支持重合部６Ａの前部を支持重合部３２Ａに、また水平仕切壁６を断熱箱体１の両側壁にビス３９、３９によりそれぞれ固定するようにしたが、必ずしもビス３９、３９によりそれぞれ固定することなく、前記ファンダクト組立体２６及び前記水平仕切壁６を断熱箱体１内に取り付け固定することができる。
【００３６】
以上のように、本発明は断熱箱体１内の奥部において前記ファンダクト組立体２６をビス固定することなく、取り付けることができるので、組立作業が煩わしくなく、作業効率が良好となる。
【００３７】
なお、前記水平仕切壁６の被支持重合部６Ａの後部を前記ファンダクト組立体２６の前面の支持部３４上に重合するような構造としたが、このような構造に限らず、前記水平仕切壁７の後部のように、嵌合部を前記ファンダクト組立体２６の上下の両支持部との間に前方から嵌合させるような構造にしてもよい。
【００３８】
更には、前記水平仕切壁７の後部の嵌合部である被支持重合部７Ａの後部を前記ファンダクト組立体２６の上下の支持部３５Ａと３５Ｂとの間に前方から嵌合させる構造としたが、このような構造に限らず、上の支持部３５Ａを設けることなく、設けられた下の支持部３５Ｂ上に被支持重合部７Ａを載置重合させるようにして前記水平仕切壁７を断熱箱体１内に固定してもよく、この場合、必ずしも、垂直仕切壁９を貯蔵空間内に挿入しなくともよい。
【００３９】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４０】
１      断熱箱体
２      内箱
３      外箱
６、７  水平仕切壁
６Ａ    被支持重合部
７Ａ    被支持重合部
９      垂直仕切壁
２６    ファンダクト組立体
３１Ａ、３１Ｂ  仕切壁支持体
３２Ａ  支持重合部
３２Ｂ  支持重合部
３４    支持部
３５Ａ、３５Ｂ  支持部
【図１】
2012098010.tif 000003
【図２】
2012098010.tif 000004
【図３】
2012098010.tif 000005
【図４】
2012098010.tif 000006
【図５】
2012098010.tif 000007
【図６】
2012098010.tif 000008
【図７】
2012098010.tif 000009
【図８】
2012098010.tif 000010
【図９】
2012098010.tif 000011